(57)【特許請求の範囲】
【請求項１】
電気接点を有するカメラ側アクセサリシューに着脱可能に装着されるアクセサリ機器であって、
前記カメラ側アクセサリシューに装着された状態で前記電気接点に接触する接点ピンと、
前記接点ピンの付勢方向に移動可能な第１の部材と、
前記接点ピンの付勢方向に対して交差する方向に移動可能な第２の部材と、
前記カメラ側アクセサリシューに装着された状態で前記カメラ側アクセサリシューに対してロックする位置とロックを解除する位置とに操作が可能な操作部材と、
前記操作部材への操作に連動して前記第２の部材を移動させる第１の連動機構と、
前記第２の部材の移動に連動して前記第１の部材を移動させる第２の連動機構と、を備え、
前記接点ピンは、前記第１の部材の位置によらず先端が突出して露出しており、
前記第１の部材は、前記操作部材が前記ロックを解除する位置から前記ロックする位置に操作された際に、前記電気接点に対する前記接点ピンの付勢力を大きくする方向に移動することを特徴とするアクセサリ機器。
【請求項２】
前記操作部材は、リング状に形成されて、前記接点ピンの前記付勢方向に沿う軸線を中心として回動操作が可能とされ、
前記第１の連動機構は、前記操作部材の操作に連動して前記第２の部材を前記操作部材の径方向に移動させることを特徴とする請求項１に記載のアクセサリ機器。
【請求項３】
前記第１の部材は、前記電気接点に接触した状態の前記接点ピンを前記電気接点の方向に付勢する接点バネを支持し、前記操作部材が前記ロックを解除する位置から前記ロックする位置に操作された際に、前記接点バネを圧縮する方向に移動することを特徴とする請求項１または２に記載のアクセサリ機器。
【請求項４】
電気接点を有するカメラ側アクセサリシューに着脱可能に装着されるアクセサリ機器であって、
前記カメラ側アクセサリシューに装着された状態で前記電気接点に接触する接点ピンと、
前記接点ピンの付勢方向に移動可能な第１の部材と、
前記接点ピンの付勢方向に対して交差する方向に移動可能な第２の部材と、
前記カメラ側アクセサリシューに装着された状態で前記カメラ側アクセサリシューに対してロックする位置とロックを解除する位置とに操作が可能な操作部材と、
前記操作部材への操作に連動して前記第２の部材を移動させる第１の連動機構と、
前記第２の部材の移動に連動して前記第１の部材を移動させる第２の連動機構と、を備え、
前記接点ピンは、前記第１の部材の位置によらず先端が突出して露出しており、
前記第１の部材は、前記操作部材が前記ロックを解除する位置から前記ロックする位置に操作されたことに応じて、前記接点ピンの突出する方向への力を大きくする方向に移動することを特徴とするアクセサリ機器。
【発明の詳細な説明】
【技術分野】
【０００１】
本発明は、カメラ側アクセサリシューに装着されるアクセサリ機器に関し、詳しくはカメラの電子回路と電気的に接続するための接点ピンを備えるアクセサリ機器に関する。
【背景技術】
【０００２】
カメラの電子回路と電気的に接続するための接続ピンを備えるカメラ用アクセサリ機器として、カメラ側アクセサリシューへの装着状態でバネ付勢された接点ピンをカメラ側アクセサリシューの電気接点に接触させるストロボ装置が提案されている（特許文献１）。
【先行技術文献】
【特許文献】
【０００３】
【特許文献１】特開２００８−１７５９２４号公報
【発明の概要】
【発明が解決しようとする課題】
【０００４】
ところで、カメラ用アクセサリ機器の接点ピン、及びカメラ側アクセサリシューの電気接点は、通常露出した状態であるため、長期間の放置等で表面に酸化被膜が形成されることで、電気的な接触抵抗が大きくなり、誤作動の原因となる。この場合、カメラ用アクセサリ機器の接点ピンに対して、酸化被膜を破断するだけの大きな付勢力を付与することが考えられる。
【０００５】
しかし、上記特許文献１のストロボ装置の接点ピンに大きな付勢力を与えると、カメラ側アクセサリシューへの装着中に突出した接点ピンがカメラ側アクセサリシューの電気接点や電気接点の周囲の樹脂部分を摺動する。
【０００６】
このため、ストロボ装置の複数回の着脱の繰り返しによりカメラ側アクセサリシューに疵が発生して外観上の問題となるばかりか、樹脂粉等により接触不良を起こす可能性がある。
【０００７】
そこで、本発明は、アクセサリ機器の複数回の着脱の繰り返しによりカメラ側アクセサリシューに疵がつくのを防止すると共に、酸化被膜等の影響を受けることなく、カメラとの電気的な接続を確実に確保する仕組みを提供することを目的とする。
【課題を解決するための手段】
【０００８】
上記目的を達成するために、本発明にかかるアクセサリ機器は、電気接点を有するカメラ側アクセサリシューに着脱可能に装着されるアクセサリ機器であって、前記カメラ側アクセサリシューに装着された状態で前記電気接点に接触する接点ピンと、前記接点ピンの付勢方向に移動可能な第１の部材と、前記接点ピンの付勢方向に対して交差する方向に移動可能な第２の部材と、前記カメラ側アクセサリシューに装着された状態で前記カメラ側アクセサリシューに対してロックする位置とロックを解除する位置とに操作が可能な操作部材と、前記操作部材への操作に連動して前記第２の部材を移動させる第１の連動機構と、前記第２の部材の移動に連動して前記第１の部材を移動させる第２の連動機構と、を備え、前記接点ピンは、前記第１の部材の位置によらず先端が突出して露出しており、前記第１の部材は、前記操作部材が前記ロックを解除する位置から前記ロックする位置に操作された際に、前記電気接点に対する前記接点ピンの付勢力を大きくする方向に移動することを特徴とする。
また、本発明にかかるアクセサリ機器は、電気接点を有するカメラ側アクセサリシューに着脱可能に装着されるアクセサリ機器であって、前記カメラ側アクセサリシューに装着された状態で前記電気接点に接触する接点ピンと、前記接点ピンの付勢方向に移動可能な第１の部材と、前記接点ピンの付勢方向に対して交差する方向に移動可能な第２の部材と、前記カメラ側アクセサリシューに装着された状態で前記カメラ側アクセサリシューに対してロックする位置とロックを解除する位置とに操作が可能な操作部材と、前記操作部材への操作に連動して前記第２の部材を移動させる第１の連動機構と、前記第２の部材の移動に連動して前記第１の部材を移動させる第２の連動機構と、を備え、前記接点ピンは、前記第１の部材の位置によらず先端が突出して露出しており、前記第１の部材は、前記操作部材が前記ロックを解除する位置から前記ロックする位置に操作されたことに応じて、前記接点ピンの突出する方向への力を大きくする方向に移動することを特徴とする。
【発明の効果】
【０００９】
本発明のアクセサリ機器によれば、複数回の着脱の繰り返しによりカメラ側アクセサリシューに疵がつくのを防止することができると共に、酸化被膜等の影響を受けることなく、カメラとの電気的な接続を確実に確保することができる。
【図面の簡単な説明】
【００１０】
【図１】（ａ）は本発明のカメラ用アクセサリ機器の実施形態の一例であるストロボ装置におけるアクセサリシューのロック解除状態を示す斜視図、（ｂ）は（ａ）に示すアクセサリシューのロック状態を示す斜視図である。
【図２】図１に示すストロボ装置のアクセサリシューが着脱可能に装着されるカメラ側アクセサリシューの斜視図である。
【図３】（ａ）はストロボ装置のアクセサリシューにおけるロック解除状態の平面図、（ｂ）は（ａ）のＡ−Ａ線断面図である。
【図４】（ａ）はストロボ装置のアクセサリシューにおけるロック状態の平面図、図（ｂ）は（ａ）のＢ−Ｂ線断面図である。
【図５】ストロボ装置のアクセサリシューの分解斜視図である。
【発明を実施するための形態】
【００１１】
以下、本発明の実施形態の一例を図面を参照して説明する。
【００１２】
図１（ａ）は本発明のカメラ用アクセサリ機器の実施形態の一例であるストロボ装置におけるアクセサリシューのロック解除状態を示す斜視図、図１（ｂ）は図１（ａ）に示すアクセサリシューのロック状態を示す斜視図である。
【００１３】
図２は、図１に示すストロボ装置のアクセサリシューが着脱可能に装着されるカメラ側アクセサリシューの斜視図である。
【００１４】
まず、説明の便宜上、図２を参照して、カメラ側アクセサリシュー３０から説明する。なお、カメラ側アクセサリシュー３０については、公知であるので簡単に説明する。
【００１５】
図２に示すように、カメラ側アクセサリシュー３０は、カメラの外装カバーの上面部に樹脂製のシュー台座３１が、不図示のビスにより金属製のシュープレート３２と共に固定される。
【００１６】
シュー台座３１には、電気接点３１ａ，３１ｂが一体に形成され、シュープレート３２には、後述するストロボ装置のアクセサリシュー２５のシュー金具４がカメラ背面側（図２のＡ方向）から挿入されて係合する。
【００１７】
シュープレート３２には、シュー金具４の挿入方向から見て左右一対の挿入ガイド部が設けられている。また、シュープレート３２には、アクセサリシュー２５のロックピン１４が挿抜されるロック穴部３２ａが形成されている。シュー台座３１の上面には、シュープレート３２に挿入されたシュー金具４の上下方向のガタつきを抑える為のシューバネ３３が取り付けられている。
【００１８】
次に、図１を参照して、ストロボ装置のアクセサリシュー２５について説明する。
【００１９】
図１に示すように、アクセサリシュー２５は、ストロボ装置のボトムカバー１の下面に配置され、カメラ側アクセサリシュー３０のシュープレート３２に挿入されるシュー金具４を有する。シュー金具４の略中央の開口部には、カメラ側アクセサリシュー３０の電気接点３１ａ，３１ｂに接触する複数の接点ピン５が突設されている。
【００２０】
ロックレバー２は、リング状に形成され、周方向の一部には、ロックレバー２を回動操作するためのレバー部２ａが設けられている。ロックレバー２は、ボトムカバー１に形成された切欠き部１ａの範囲内で後述する接点ピン５の付勢方向に沿う軸線を中心としてロック位置（図１（ｂ））とロック解除位置（図１（ａ））との間で回動操作が可能とされている。
【００２１】
また、ロックレバー２のレバー部２ａの近傍には、係止解除釦３が設けられている。係止解除釦３を押すことで、ロックレバー２をロック位置からロック解除位置の方向に回動操作することが可能となる。ここで、ロックレバー２は、本発明の操作部材の一例に相当する。
【００２２】
アクセサリシュー保持部材１１は、ロックレバー２の回動動作に応じて上下動し、ロックレバー２をロック位置に回動操作することで下降して、突出部１１ａとシュー金具４とでカメラ側アクセサリシュー３０のシュープレート３２を挟持する。
【００２３】
また、アクセサリシュー保持部材１１の下降動作に連動してロックピン１４も下降し、カメラ側アクセサリシュー３０のロック穴部３２ａと嵌合して、ストロボ装置のカメラからの脱落を防止する。
【００２４】
図３（ａ）はストロボ装置のアクセサリシュー２５におけるロック解除状態の平面図、図３（ｂ）は図３（ａ）のＡ−Ａ線断面図である。
【００２５】
図４（ａ）はストロボ装置のアクセサリシュー２５におけるロック状態の平面図、図４（ｂ）は図４（ａ）のＢ−Ｂ線断面図、図５はストロボ装置のアクセサリシュー２５の分解斜視図である。
【００２６】
図３〜図５を参照して、アクセサリシュー２５は、グランド板１７、ボトムカバー１、シューブロック１０、及びシュー金具４がビス１６により一体に固定され、ビス１６は、シュー金具４に形成されたネジ穴４ａに締結される。グランド板１７の半田付け部１７ａには、ストロボ装置の接地線が接続される。
【００２７】
シュー金具４は、ビス１６を介してグランド板１７に電気的に接続されるので、カメラ側アクセサリシュー３０への装着状態において、シュー金具４がシュープレート３２に係合することで、カメラとストロボ装置の接地線が接続される。
【００２８】
シューブロック１０の円筒部１０ａには、摺動穴１０ｂが形成され、摺動穴１０ｂには、段ビス１２が挿入される。摺動穴１０ｂに挿入された段ビス１２は、アクセサリシュー保持部材１１に締結され、これにより、シューブロック１０に対してアクセサリシュー保持部材１１が上下方向に移動可能とされている。また、アクセサリシュー保持部材１１は、段ビス１２に外挿された付勢バネ２０により常に上方へ付勢されている。
【００２９】
シューブロック１０の内部には、接点ホルダー９、接点バネ支持部材８、及び移動部材７が収納される。接点ホルダー９には、フック部９ａが一体に形成され、フック部９ａは、接点バネ６が取り付けられた複数の接点ピン５を軸方向に移動可能に保持する。接点バネ支持部材８は、接点ホルダー９を覆うようにシューブロック１０に収納される。
【００３０】
接点バネ支持部材８の上面部には、カム係合部８ａが形成されている。移動部材７には、移動部材７を接点バネ６の付勢方向に対して交差する方向（本実施形態では、ロックレバー２の径方向）に付勢する戻しバネ１５が取り付けられている。また、移動部材７には、接点バネ支持部材８のカム係合部８ａに係合する昇降カム７ｂが形成されている。
【００３１】
接点ピン５の上端部５ａは、接点バネ支持部材８によって支持されるとともに、移動部材７を介して比較的剛性のあるボトムカバー１の下面１ｃによって支持される。
【００３２】
一方、接点ピンの下端部５ｂは、接点バネ６により付勢された状態で、シューブロック１０の下面に開口する穴１０ｃから突出する。なお、本実施形態では、接点ホルダー９と接点バネ支持部材８とを別部材としているが、接点バネ支持部材８に接点ホルダー９を一体に設けてもよい。
【００３３】
ボトムカバー１とシューブロック１０との間には、ロックピン１４が収納され、ロックピン１４には、ロックピンホルダー１３及びロックピンバネ１８が取り付けられる。
【００３４】
ロックピン１４は、ロックピンバネ１８により下方へ付勢されるが、ロックピンホルダー１３がアクセサリシュー保持部材１１の上端に当接しているため、アクセサリシュー保持部材１１の上下方向に移動に連動して同方向に移動する。
【００３５】
また、ボトムカバー１の下面１ｃとシューブロック１０の円筒部１０ａとの間には、ロックレバー２が回動可能に支持され、ロックレバー２のレバー部２ａには、付勢バネ１９を介して係止解除釦３が取り付けられる。また、ロックレバー２の内周部には、昇降カム２ｂ及び移動カム２ｃが形成されている。
【００３６】
昇降カム２ｂは、アクセサリシュー保持部材１１の上面部に形成された複数の突起１１ｂに係合して、昇降カム２ｂと突起１１ｂとのカム作用によりアクセサリシュー保持部材１１が上下方向に移動する。
【００３７】
また、移動カム２ｃは、移動部材７に形成されたカム係合部７ａに係合して、移動カム２ｃとカム係合部７ａとのカム作用により、移動部材７がロックレバー２の径方向に移動する。
【００３８】
ボトムカバー１の下面１ｃには、係止溝１ｂを有する円弧状のレール溝１ｄが形成されている。レール溝１ｄには、係止解除釦３に形成された突起（不図示）が摺動可能に係合する。そして、ロックレバー２のロック位置で突起が係止溝１ｂに進入して係止されることで、ロックレバー２のロック解除方向への回動が規制される。
【００３９】
次に、図３及び図４を参照して、ストロボ装置のアクセサリシュー２５の動作についてさらに説明する。
【００４０】
ここで、ロックレバー２の移動カム２ｃ、及び移動部材７のカム係合部７ａは、本発明の第１のカム機構の一例に相当し、接点バネ支持部材８のカム係合部８ａ、及び移動部材７の昇降カム７ｂは、本発明の第２のカム機構の一例に相当する。
【００４１】
図３及び図４においては、ストロボ装置のアクセサリシュー２５がカメラ側アクセサリシュー３０に装着され、アクセサリシュー２５の接点ピン５がカメラ側アクセサリシュー３０の電気接点３１ａ，３１ｂに接触している。
【００４２】
図３に示すアクセサリシュー２５のロック解除状態では、移動部材７は、ロックレバー２の移動カム２ｃが移動部材７のカム係合部７ａに係合した状態で、戻しバネ１５の付勢力により図中右方向に位置している。
【００４３】
このとき、接点バネ支持部材８のカム係合部８ａに対して移動部材７の昇降カム７ｂのカムトップが作用していない。このため、接点バネ支持部材８は、上昇位置に配置され、接点ピン５を付勢する接点バネ６は、殆ど圧縮されていない状態になっている。従って、接点ピン５は、電気接点３１ａ，３１ｂに接触しているが、電気接点３１ａ，３１ｂに付与する付勢力は小さくなっている。
【００４４】
また、アクセサリシュー保持部材１１は、突起１１ｂに対してロックレバー２の昇降カム２ｂのカムトップが作用していないので、付勢バネ２０の付勢力によりロックピン１４とともに上昇位置に配置されている。
【００４５】
一方、図４に示すアクセサリシュー２５のロック状態では、ロックレバー２の移動カム２ｃと移動部材７のカム係合部７ａとのカム作用により、移動部材７が戻しバネ１５の付勢力に抗してより図中左方向にする。
【００４６】
このとき、接点バネ支持部材８のカム係合部８ａに対して移動部材７の昇降カム７ｂのカムトップが作用して接点バネ支持部材８が下降し、接点バネ支持部材８によって接点ピン５を付勢する接点バネ６が圧縮される。従って、接点ピン５は、電気接点３１ａ，３１ｂに対して大きな付勢力を付与した状態で接触する。
【００４７】
また、アクセサリシュー保持部材１１は、突起１１ｂに対してロックレバー２の昇降カム２ｂのカムトップが作用して、付勢バネ２０の付勢力に抗してロックピン１４とともに下降し、ロックピン１４がカメラ側アクセサリシュー３０のロック穴部３２ａに嵌合する。
【００４８】
以上説明したように、本実施形態では、アクセサリシュー２５のロック時は、ロック解除時より大きな付勢力で接点ピン５がカメラ側アクセサリシュー３０の電気接点３１ａ，３１ｂに押しつけられる。このため、接点ピン５が電気接点３１ａ，３１ｂに付着した酸化被膜等を破断して、確実にストロボ装置とカメラとが電気的に接続される。
【００４９】
また、ストロボ装置の着脱時においては、アクセサリシュー２５のロックは解除されている為、接点ピン５は、小さな付勢力で電気接点３１ａ，３１ｂに接触する。このため、接点ピン５の摺動によりカメラ側アクセサリシュー３０に疵がつくのが防止されるとともに、摩耗により発生する樹脂粉等による接触不良も防止される。
【００５０】
更に、本実施形態では、接点バネ６の付勢力を常に接点バネ支持部材８及び移動部材７を介して比較的剛性のあるボトムカバー１の下面１ｃによって支えているので、安定した付勢力を維持する事が出来る。
【００５１】
なお、本発明の構成は、上記実施形態に例示したものに限定されるものではなく、材質、形状、寸法、形態、数、配置箇所等は、本発明の要旨を逸脱しない範囲において適宜変更可能である。
【００５２】
例えば、上記実施形態では、カメラ用アクセサリ機器の一例であるストロボ装置におけるアクセサリシューの説明を行ったが、通信機器やＧＰＳユニットなどのカメラ用アクセサリ機器におけるアクセサリシューにも適用できる。
【符号の説明】
【００５３】
２  ロックレバー
２ｃ  移動カム
５  接点ピン
６  接点バネ
７  移動部材
７ａ  カム係合部
７ｂ  昇降カム
８  接点バネ支持部材
８ａ  カム係合部
３０  カメラ側アクセサリシュー
３１ａ，３１ｂ  電気接点
【図１】
0005963472.tif 000002
【図２】
0005963472.tif 000003
【図３】
0005963472.tif 000004
【図４】
0005963472.tif 000005
【図５】
0005963472.tif 000006